(57)【要約】【課題】筐体外と筐体内との間で導光する電気装置において、レンズ部品を嵌合する嵌合穴を、ケースの壁面に穴あけ加工だけで形成する。【解決手段】受発光素子と、表面に突起を有するレンズ部品と、内面において突起に嵌合する、ケースの壁面に穴あけ加工だけで形成可能な形状の嵌合穴を有し、受発光素子を収容する筐体とを備えた電気装置であって、レンズ部品は、筐体の外部と受発光素子との間で導光する。【選択図】      図２
2017167212.tif 000002
【特許請求の範囲】
【請求項１】
受発光素子と、
表面に突起を有するレンズ部品と、
内面において前記突起に嵌合する、ケースの壁面に穴あけ加工だけで形成可能な形状の嵌合穴を有し、前記受発光素子を収容する筐体と
を備えた電気装置であって、
前記レンズ部品は、前記筐体の外部と前記受発光素子との間で導光する
ことを特徴とする電気装置。
【請求項２】
前記レンズ部品は、複数のレンズを含むことを特徴とする請求項１に記載の電気装置。
【請求項３】
前記筐体の内部に挿入され、前記レンズ部品を前記筐体との間で挟み込んで固定する基板を更に備えたことを特徴とする請求項１又は請求項２に記載の電気装置。
【請求項４】
前記突起は、前記筐体の外面において前記嵌合穴に嵌合されることを特徴とする請求項１又は請求項２に記載の電気装置。
【請求項５】
前記筐体は、金属製であることを特徴とする請求項１乃至４のいずれか１項に記載の電気装置。
【請求項６】
ケースの壁面に穴あけ加工だけで形成可能な形状の嵌合穴に、受発光素子を収容する筐体の内面において嵌合する突起を表面に有し、
前記筐体の外部と前記受発光素子との間で導光する
ことを特徴とするレンズ部品。
【請求項７】
複数のレンズを含むことを特徴とする請求項６に記載のレンズ部品。
【請求項８】
受発光素子を収容する筐体の外部と前記受発光素子との間で導光するレンズ部品の表面の突起を、ケースの壁面に穴あけ加工だけで形成可能な形状の嵌合穴に、前記筐体の内面において嵌合させる
ことを特徴とするレンズ部品の嵌合方法。
【請求項９】
前記レンズ部品は、複数のレンズを含むことを特徴とする請求項８に記載のレンズ部品の嵌合方法。
【発明の詳細な説明】
【技術分野】
【０００１】
本発明は、筐体外と筐体内との間で導光する、電気装置、レンズ部品、及びレンズ部品の嵌合方法に関する。
【背景技術】
【０００２】
近年、電気装置の小型化や部品実装の高密度化にともない、部品実装空間の拡大やネジレス化の要求が高まっている。筐体外と筐体内との間で導光するレンズ部品の、電気装置への固定方法では、固定用の穴が設けられたレンズ固定部品を用いて、レンズ部品が筐体にネジで固定される方法が一般的である。この場合には、レンズ固定部品、ネジ、及びネジ締めのための空間が必要であるため、筐体内の空間には部品実装上の制約が生じる。また、この場合には、レンズ固定部品及びネジの費用、並びにネジ締め作業のための費用が必要であるため、電気装置の製造コストが嵩む。
【０００３】
レンズ部品を筐体に設置する技術の一例が、特許文献１に開示されている。特許文献１の電子式電力量計は、筐体と、赤外ＬＥＤ（Light Emitting Diode）と、プリント基板と、集光部とを含む。赤外ＬＥＤは、電力に比例したパルス光を発生する。プリント基板は、筐体に固定され、赤外ＬＥＤを固定する。集光部は、柱形状を有し、筐体に固定される。集光部の一方の切断面が赤外ＬＥＤの光射出面に対向し、集光部の他方の切断面が筐体外部に向くように配置される。集光部は、赤外ＬＥＤからのパルス光を筐体外部に導く。上記の構成の結果、特許文献１の電子式電力量計は、簡単な構造で計測用のパルス光を出力する。
【０００４】
レンズ部品を筐体に設置する技術の別の一例が、特許文献２に開示されている。特許文献２のリレーターミナルは、複数の導光材と、ケースと、プリント配線板とを含む。導光材は、凸部を有する。ケースは、導光材の圧入時に、各導光材の上端が見える窓と、内面において凸部に係止する壁面とを有する。プリント配線板は、導光材の圧入時に複数の導光材の下端の下に位置する複数のＬＥＤを含む。上記の構成の結果、特許文献２のリレーターミナルでは、プリント配線板上の複数のＬＥＤの光を個別に導いて、動作表示をする一体の導光材が、圧入でケースに固定される。
【０００５】
レンズ部品を筐体に設置する技術の更に別の一例が、特許文献３に開示されている。特許文献３の電子機器装置は、レンズと、フロントパネルとを含む。レンズは、筒形状の形状を有し、筒形状の側面に凸部を有する。フロントパネルは、筒形状穴を含む。筒形状穴は、筒形状を有し、側面に切欠きと角穴とを有する。電子機器装置では、レンズが筒形状穴に挿入されると凸部により筒形状穴が拡げられ、レンズが筒形状穴に完全に挿入されると、凸部が角穴に嵌合し、拡げられた筒形状穴は元の形状に戻り、筒形状穴の中にレンズが保持固定される。上記の構成の結果、特許文献３の電子機器装置では、ねじ等の取付け部材を用いることなく、レンズをフロントパネルに固定することができる。
【先行技術文献】
【特許文献】
【０００６】
【特許文献１】特開２００６−２３１１６号公報
【特許文献２】特開平１０−６４３９０号公報
【特許文献３】特開平９−９１０６１号公報
【発明の概要】
【発明が解決しようとする課題】
【０００７】
特許文献１の電子式電力量計では、集光部が接着等により筐体に固定される。ところが、集光部を筐体に高精度に位置決めして接着する製造法では、製造コストが嵩むという問題がある。
【０００８】
特許文献２のリレーターミナルでは、窓が必要で、ケースはリレーターミナル用の専用品である。一般的に、穴あけ加工は、ドリル加工又は打ち抜き加工により行われることが多い。丸穴はドリルによる形成が可能であるが、矩形穴はドリルによる形成が困難である。また、ケースの穴をあけられる部分が薄板であれば、打ち抜き加工による穴の形成は容易であるが、ケースの穴をあけられる部分が厚板や立体的形状であれば、打ち抜き加工による穴の形成は困難である。また、打ち抜き加工は、金属等の塑性が大きい材料では容易であるが、セラミックス等の塑性が小さい材料では困難である。特許文献２のリレーターミナルでは、ケースは金属に比べて塑性が小さい絶縁体製で、窓は立体的構造の壁面に形成された矩形穴なので、窓のないケースの壁面に穴あけ加工だけで窓を形成することは困難であるという問題がある。
【０００９】
特許文献３の電子機器装置では、筒形状穴が必要である。ところが、筒形状穴は、筒形状の壁面が必要であり、筐体の壁面に穴あけ加工だけで形成できないという問題がある。
【００１０】
本発明は、上記の課題に鑑みてなされたもので、筐体外と筐体内との間で導光する電気装置において、レンズ部品を嵌合する嵌合穴を、ケースの壁面に穴あけ加工だけで形成することができる、電気装置、レンズ部品、及びレンズ部品の嵌合方法を提供することを主たる目的とする。
【課題を解決するための手段】
【００１１】
本発明の電気装置は、受発光素子と、表面に突起を有するレンズ部品と、内面において突起に嵌合する、ケースの壁面に穴あけ加工だけで形成可能な形状の嵌合穴を有し、受発光素子を収容する筐体とを備えた電気装置であって、レンズ部品は、筐体の外部と受発光素子との間で導光することを特徴とする。
【００１２】
本発明のレンズ部品は、ケースの壁面に穴あけ加工だけで形成可能な形状の嵌合穴に、受発光素子を収容する筐体の内面において嵌合する突起を表面に有し、筐体の外部と受発光素子との間で導光することを特徴とする。
【００１３】
本発明のレンズ部品の嵌合方法は、受発光素子を収容する筐体の外部と受発光素子との間で導光するレンズ部品の表面の突起を、ケースの壁面に穴あけ加工だけで形成可能な形状の嵌合穴に、筐体の内面において嵌合させることを特徴とする。
【発明の効果】
【００１４】
本発明によれば、筐体外と筐体内との間で導光する電気装置において、レンズ部品を嵌合する嵌合穴を、ケースの壁面に穴あけ加工だけで形成することができるという効果がある。
【図面の簡単な説明】
【００１５】
【図１】本発明の第１の実施形態の電気装置の構成の一例を示す斜視図である。
【図２】本発明の第１の実施形態の電気装置の構成の一例を示す断面図である。
【図３】本発明の第１の実施形態の電気装置の構成の一例を示す分解組み立て図である。
【図４】本発明の第１の実施形態の電気装置の構成の一例を示す断面図である。
【図５】本発明の第１の実施形態の電気装置の動作を説明するための図である。
【図６】本発明の第２の実施形態の電気装置の構成の一例を示す斜視図である。
【図７】本発明の第３の実施形態の電気装置の構成の一例を示す断面図である。
【図８】本発明の第４の実施形態の電気装置の構成の一例を示す図である。
【図９】本発明の第５の実施形態の電気装置の構成の一例を示す図である。
【図１０】本発明の第６の実施形態の電気装置の構成の一例を示す斜視図である。
【発明を実施するための形態】
【００１６】
以下、本発明の実施形態について、図面を参照して詳細に説明する。なお、すべての図面において、同等の構成要素には同じ符号を付し、適宜説明を省略する。
（第１の実施形態）  本実施形態における構成について説明する。
【００１７】
図１は、本発明の第１の実施形態の電気装置１００の構成の一例を示す斜視図である。具体的には、図１は、左にレンズ部品１０１の表側から見た斜視図を、右にレンズ部品１０１の裏側から見た斜視図を示す。図２は、本発明の第１の実施形態の電気装置１００の構成の一例を示す断面図である。図３は、本発明の第１の実施形態の電気装置１００の構成の一例を示す分解組み立て図である。図４は、本発明の第１の実施形態の電気装置１００の構成の一例を示す断面図である。具体的には、図４は、レンズ部品１０１の拡大図である。
【００１８】
電気装置１００は、電気装置１００の状態を、内部の発光素子による、光の点灯、点滅、若しくは消灯、光の色、又は光の位置等により、光を用いて表示する。あるいは、電気装置１００は、内部の発光素子により可視光、赤外線等を放射してもよい。あるいは、電気装置１００は、内部の受光素子により可視光、赤外線等を受光してもよい。以下、発光素子又は受光素子を「受発光素子」と総称する。電気装置１００は、レンズ部品１０１と、筐体１０４と、受発光素子１０９とを含む。電気装置１００は、基板１０５を更に含んでもよい。
【００１９】
レンズ部品１０１は、レンズ部品１０１内における光の伝搬、レンズ部品１０１の表面における光の反射又は屈折等により、レンズ部品１０１の特定の位置で入力した光をレンズ部品１０１の別の特定の位置に導光して出力する。レンズ部品１０１は、例えば、筐体１０４内の発光を筐体１０４の表面に導光する。あるいは、レンズ部品１０１は、例えば、筐体１０４外の光を筐体１０４の内部に導光する。レンズ部品１０１は、透明な樹脂やガラス等の透明な素材から形成される。レンズ部品１０１は、１つ以上の突起１０２を有する。レンズ部品１０１は、レンズ部品１０１の表面上の特定の箇所から光を入力し、導光された光を突起１０２から出力する。あるいは、レンズ部品１０１は、突起１０２から光を入力し、導光された光をレンズ部品１０１の表面上の特定の箇所から出力する。レンズ部品１０１は、例えば、上面及び側面に突起１０２を有する。なお、電気装置１００は複数のレンズ部品１０１を含んでもよい。また、複数のレンズ部品１０１は、一体に形成されてもよいし、独立に形成されてもよい。図１は、電気装置１００が８つのレンズ部品１０１を含み、各レンズ部品１０１が２つの突起１０２を有し、８つのレンズ部品１０１が一体に形成された例を示す。また、電気装置１００が基板１０５を含む場合には、レンズ部品１０１は基板１０５と接触する底面又は突起１０８を有してもよい。あるいは、突起１０８は、基板１０５側に形成されてもよい。
【００２０】
筐体１０４は、レンズ部品１０１及び受発光素子１０９を格納する。電気装置１００が基板１０５を含む場合には、筐体１０４は、基板１０５を更に格納する。筐体１０４は、金属や樹脂等の、弾性を有し、穴あけ加工可能な素材から形成される。筐体１０４は、レンズ部品１０１の突起１０２と相対する位置に嵌合穴１０３を有する。筐体１０４は、例えば、略直方体の形状を有する。嵌合穴１０３は、レンズ部品１０１と筐体１０４とを嵌合させるとともに、レンズ部品１０１により導光された光を、筐体１０４内外の間で通過させる。嵌合穴１０３は、穴あけ加工（ドリル加工、打ち抜き加工等）による形成が可能な、特別な構造を有しない単純な形状の穴（丸穴、四角穴等）である。なお、筐体１０４は、完成品（汎用品、既製品等）のケースに嵌合穴１０３等を加工することにより、製作されてもよい。特に、嵌合穴１０３が打ち抜き加工により形成される場合には、筐体１０４の素材には、可塑性が大きい金属が適している。
【００２１】
レンズ部品１０１は、突起１０２が嵌合穴１０３に筐体１０４の内側から嵌め込まれることにより、筐体１０４により保持される。あるいは、レンズ部品１０１は、突起１０２が嵌合穴１０３に筐体１０４の外側から嵌め込まれることにより、筐体１０４により保持されてもよい。電気装置１００が基板１０５を含む場合には、レンズ部品１０１は、突起１０２が嵌合穴１０３に筐体１０４の内側から嵌め込まれた状態で基板１０５と接触することにより、筐体１０４と基板１０５とにより挟まれて保持されてもよい。なお、レンズ部品１０１の突起１０２は、筐体１０４の嵌合穴１０３に入り易くするために、図４に示されるように、先端が曲線面取り形状（Ｒ面形状）又は面取り形状（Ｃ面形状）に形成されてもよい。  
【００２２】
基板１０５は、電気装置１００の機能を提供するための電気回路又は電気部品を含む。なお、基板１０５は、電気装置１００の必須の構成要素ではない。
【００２３】
受発光素子１０９は、光を放射又は受光する。発光素子である受発光素子１０９は、光の点灯、点滅、若しくは消灯、光の色、又は光の位置等により、光を用いて電気装置１００の状態を表示する。あるいは、発光素子である受発光素子１０９は、可視光、赤外線等を放射してもよい。受光素子である受発光素子１０９は、可視光、赤外線等を受光する。受発光素子１０９は、例えば、発光ダイオード、ランプ、フォトダイオード、フォトトランジスタ、光電管である。受発光素子１０９は、基板１０５上に実装されてもよい。
【００２４】
なお、電気装置１００は複数の受発光素子１０９を含み、電気装置１００は複数のレンズ部品１０１を含み、筐体１０４は複数の嵌合穴１０３を有してもよい。
【００２５】
本実施形態における動作について説明する。  
【００２６】
図５は、本発明の第１の実施形態の電気装置１００の動作を説明するための図である。具体的には、図５は、レンズ部品１０１周辺が拡大された断面図で、矢印で光路を示す。
【００２７】
レンズ部品１０１は、突起１０２が筐体１０４の嵌合穴１０３に、筐体１０４の内側又は外側から嵌め込まれることにより固定される。例えば、図５では、レンズ部品１０１は、上面及び側面の各々の突起１０２が筐体１０４の上面及び側面に設けられた嵌合穴１０３に、弾性を利用して筐体１０４の内側から嵌め込まれることにより固定される。つまり、レンズ部品１０１は、レンズ固定部品、ネジ等を使用せずに筐体１０４に固定される。なお、筐体１０４は及びレンズ部品１０１は弾性を有するから、突起１０２及び嵌合穴１０３の寸法等を調整することにより、レンズ部品１０１の筐体１０４に対する固定の安定性を調整することが可能である。
【００２８】
複数の突起１０２及び嵌合穴１０３が互いに嵌合される場合には、レンズ部品１０１の筐体１０４に対する固定は安定的である。一方、１対の突起１０２及び嵌合穴１０３のみが互いに嵌合される場合には、レンズ部品１０１の筐体１０４に対する固定は不安定であり得る。後者の場合には、レンズ部品１０１の筐体１０４に対する固定は、基板１０５によりレンズ部品１０１が筐体１０４に押し付けられる等の付加的な手段により強化されてもよい。
【００２９】
電気装置１００が基板１０５を含む場合には、レンズ部品１０１は、レンズ部品１０１の底面又は突起１０８と基板１０５とが接触するように、基板１０５が設置されると、筐体１０４へ押し付けられて固定される。つまり、この場合にも、レンズ部品１０１は、レンズ固定部品、ネジ等を使用せずに筐体１０４に固定される。なお、複数の突起１０２及び嵌合穴１０３が互いに嵌合される場合であっても、レンズ部品１０１の筐体１０４に対する固定は、基板１０５により強化されてもよい。
【００３０】
受発光素子１０９が発光素子である場合のレンズ部品１０１の動作について説明する。レンズ部品１０１は、受発光素子１０９の発光を導光して、レンズ部品１０１の各々の突起１０２から、筐体１０４の嵌合穴１０３を介して、筐体１０４の外へ光を出力する。図５では、受発光素子１０９からレンズ部品１０１の底面へ入射した光の一部は、レンズ部品１０１を伝播してレンズ部品１０１の上面の突起１０２から出力される。一方、受発光素子１０９からレンズ部品１０１の底面へ入射した光の別の一部は、レンズ部品１０１の斜面で反射してレンズ部品１０１の側面の突起１０２から出力される。なお、レンズ部品１０１は、レンズ部品１０１のいずれか一方の突起１０２から、筐体１０４の外へ光を出力してもよい。受発光素子１０９が受光素子である場合のレンズ部品１０１の動作は、受発光素子１０９が受光し、光の進行方向が逆であることを除いて、上述の動作と同じである。  
【００３１】
以上説明したように、本実施形態の電気装置１００では、レンズ部品１０１の突起１０２が筐体１０４の嵌合穴１０３に嵌合されて固定される。また、嵌合穴１０３は、嵌合穴１０３は、穴あけ加工による形成が可能な、形状を有する。従って、本実施形態の電気装置１００には、筐体外と筐体内との間で導光する電気装置において、レンズ部品を嵌合する嵌合穴を、ケースの壁面に穴あけ加工だけで形成することができるという効果がある。
【００３２】
また、本実施形態の電気装置１００では、レンズ固定部品、ネジ、及びネジ締めのための空間が不要なので、筐体１０４の内部に十分なスペースが確保され、基板１０５又は電気装置１００の小型化が可能であるという効果がある。
【００３３】
また、本実施形態の電気装置１００では、レンズを固定するためのネジ及びレンズ固定部品の費用並びに、ネジ締め作業のための費用が不要なので、電気装置１００の製造コストが抑制されるという効果がある。
【００３４】
また、本実施形態の電気装置１００では、電気装置１００が基板１０５を含む場合には、レンズ部品１０１は、筐体１０４と基板１０５とに挟み込まれて設置される。この場合には、本実施形態の電気装置１００には、レンズ部品１０１の筐体１０４に対する固定の安定性が強化されるという効果がある。
【００３５】
また、本実施形態の電気装置１００では、筐体１０４の嵌合穴１０３は、筐体１０４の壁面に形成された穴あけ加工可能な単純な形状の穴である。単純な形状の穴は、筐体１０４が金属製である場合にも、加工が容易である。従って、本実施形態の電気装置１００には、筐体１０４が金属製である場合にも、嵌合穴１０３の形成が容易であるという効果がある。  
【００３６】
なお、本実施形態の電気装置１００では、レンズ部品１０１は固定用の突起とは独立した光の出力部を有し、筐体１０４は固定用の嵌合穴とは独立した光の入出光用穴を有してもよい。
【００３７】
また、本実施形態の電気装置１００では、筐体１０４の形状は、略直方体には限定されず、レンズ部品１０１と、基板１０５とを格納可能な任意の形状であってよい。
（第２の実施形態）
次に、上述した本発明の第１の実施形態の電気装置１００を基本とする、本発明の第２の実施形態の電気装置について説明する。本実施形態の電気装置では、電気装置が複数のレンズ部品を含み、複数のレンズ部品が独立に形成される。なお、受発光素子が発光素子である場合と受発光素子が受光素子である場合とでは、受発光素子の機能と光の進行方向が逆であることとを除いて、構成及び動作が同じである。そこで、以下では、受発光素子が発光素子である場合について説明するが、本実施形態の受発光素子は受光素子であってもよい。また、以下では、電気装置が基板を含む場合について説明するが、基板は本実施形態の電気装置の必須の構成要素ではない。
【００３８】
本実施形態における構成について説明する。
【００３９】
図６は、本発明の第２の実施形態の電気装置２００（不図示）の構成の一例を示す斜視図である。具体的には、図６は、左にレンズ部品２０１の表側から見た斜視図を、右にレンズ部品２０１の裏側から見た斜視図を示す。
【００４０】
電気装置２００は、レンズ部品２０１と、筐体１０４と、基板１０５と、受発光素子１０９とを含む。
【００４１】
レンズ部品２０１は、上面及び側面に各々突起２０２を有する。複数のレンズ部品２０１は、独立に形成される。図６は、電気装置２００が８つのレンズ部品２０１を含み、８つのレンズ部品２０１が独立に形成された例を示す。
【００４２】
本実施形態における他の構成は、第１の実施形態における構成と同じである。
【００４３】
本実施形態における動作について説明する。
【００４４】
レンズ部品２０１は、個別に筐体１０４の内側に配置され、筐体１０４と基板１０５とにより挟み込まれる。つまり、レンズ部品２０１は、レンズ固定部品及びネジを使用せずに筐体１０４に固定される。
【００４５】
本実施形態における他の動作は、第１の実施形態における動作と同じである。
【００４６】
以上説明したように、本実施形態の電気装置２００では、レンズ部品２０１が独立に形成される点が、第１の実施形態の電気装置１００と異なる。従って、本実施形態の電気装置２００には、第１の実施形態の電気装置１００の効果に加えて、レンズ部品２０１の設置箇所を自由に選択することができるという効果がある。（第３の実施形態）
次に、上述した本発明の第１の実施形態の電気装置１００を基本とする、本発明の第３の実施形態の電気装置について説明する。本実施形態の電気装置では、レンズ部品が嵌合用の突起とは独立した入出光部を有する。
【００４７】
本実施形態における構成について説明する。
【００４８】
図７は、本発明の第３の実施形態の電気装置３００の構成の一例を示す断面図である。具体的には、図７は、左に断面図を、右にレンズ部品３０１周辺の拡大図を、矢印で光路を示す。
【００４９】
電気装置３００は、レンズ部品３０１と、筐体３０４と、基板１０５と、受発光素子１０９とを含む。
【００５０】
レンズ部品３０１は、上面及び側面に各々突起３０２と、上面又は側面に入出光部３１１と、基板１０５と接触する部分に、底面又は突起３０８とを有する。レンズ部品３０１は、レンズ部品３０１の表面上の１箇所から光を入力し、導光された光を入出光部３１１から出力する。なお、突起３０８は、基板１０５上に形成されてもよい。また、電気装置３００は複数のレンズ部品３０１を含んでもよい。
【００５１】
筐体３０４は、レンズ部品３０１の突起３０２と相対する位置に各々嵌合穴３０３と、レンズ部品３０１の入出光部３１１と相対する位置に入出光用穴３１０とを有する。
【００５２】
本実施形態における他の構成は、第１の実施形態における構成と同じである。
【００５３】
本実施形態における動作について説明する。
【００５４】
レンズ部品３０１は、上面及び側面の各々の突起３０２が筐体３０４の上面及び側面に設けられた嵌合穴３０３に、弾性を利用して筐体３０４の内側から嵌め込まれる。
【００５５】
レンズ部品３０１は、レンズ部品３０１の底面又は突起３０８と基板１０５とが接触するように、基板１０５が設置されると、筐体３０４へ押し付けられて固定される。つまり、レンズ部品３０１は、レンズ固定部品及びネジを使用せずに筐体３０４に固定される。
【００５６】
レンズ部品３０１は、受発光素子１０９の発光を導光して、レンズ部品３０１の入出光部３１１から、筐体３０４の入出光用穴３１０を介して、筐体３０４の外へ光を出力する。図７では、受発光素子１０９からレンズ部品３０１の底面へ入射した光の一部は、レンズ部品３０１を伝播してレンズ部品３０１の入出光部３１１から上方向へ出力される。一方、受発光素子１０９からレンズ部品３０１の底面へ入射した光の別の一部は、レンズ部品３０１の斜面で反射してレンズ部品３０１の入出光部３１１から側方へ出力される。
【００５７】
本実施形態における他の動作は、第１の実施形態における動作と同じである。
【００５８】
以上説明したように、本実施形態の電気装置３００では、レンズ部品が嵌合用の突起とは独立した入出光部を有する点が、第１の実施形態の電気装置１００と異なる。従って、本実施形態の電気装置３００には、第１の実施形態の電気装置１００の効果に加えて、レンズ部品３０１の形状を受発光素子１０９の形状によって変更することができるという効果がある。（第４の実施形態）
次に、上述した本発明の第３の実施形態の電気装置３００を基本とする、本発明の第４の実施形態の電気装置について説明する。本実施形態の電気装置では、筐体の形状が１辺においてＣ面取りされた直方体である。
【００５９】
本実施形態における構成について説明する。
【００６０】
図８は、本発明の第４の実施形態の電気装置４００の構成の一例を示す図である。具体的には、図８は、左上に斜視図を、左下に断面図を、右に分解組み立て図を示す。  
【００６１】
電気装置４００は、レンズ部品４０１と、筐体４０４と、基板１０５と、受発光素子１０９とを含む。
【００６２】
レンズ部品４０１は、上面及び側面に各々突起４０２と、Ｃ面側に入出光部４１１と、入出光部４１２と、基板１０５と接触する部分に底面４１３とを有する。レンズ部品４０１は、レンズ部品４０１の入出光部４１２から光を入力し、導光された光を入出光部４１１から出力する。なお、電気装置４００は複数のレンズ部品４０１を含んでもよい。
【００６３】
筐体４０４は、レンズ部品４０１の突起４０２と相対する位置に各々嵌合穴４０３と、レンズ部品４０１の入出光部４１１と相対する位置に入出光用穴４１０とを有する。
【００６４】
本実施形態における他の構成は、第３の実施形態における構成と同じである。
【００６５】
本実施形態における動作について説明する。
【００６６】
レンズ部品４０１は、上面及び側面の各々の突起４０２が筐体４０４の上面及び側面に設けられた嵌合穴４０３に、弾性を利用して筐体４０４の内側から嵌め込まれる。
【００６７】
レンズ部品４０１は、レンズ部品４０１の底面４１３と基板１０５とが接触するように、基板１０５が設置されると、筐体４０４へ押し付けられて固定される。つまり、レンズ部品４０１は、レンズ固定部品及びネジを使用せずに筐体４０４に固定される。
【００６８】
レンズ部品４０１は、入出光部４１２から受発光素子１０９の発光を導光して、レンズ部品４０１の入出光部４１１から、筐体４０４の入出光用穴４１０を介して、筐体４０４の外へ光を出力する。図８では、受発光素子１０９からレンズ部品４０１の入出光部４１２へ入射した光は、レンズ部品４０１の入出光部４１２から入出光部４１１までの筒状部分を伝播して、入出光部４１１から出力される。
【００６９】
本実施形態における他の動作は、第３の実施形態における動作と同じである。
【００７０】
以上説明したように、本実施形態の電気装置４００では、筐体の形状が１辺においてＣ面取りされた直方体である点が、第３の実施形態の電気装置３００と異なる。従って、本実施形態の電気装置４００には、第３の実施形態の電気装置３００の効果に加えて、入出光部４１１からの発光が上方及び側方の両方から見やすいという効果がある。  
【００７１】
なお、レンズ部品４０１の入出光部４１１は、筐体４０４との嵌合機能を有してもよい。（第５の実施形態）
次に、上述した本発明の第４の実施形態の電気装置４００を基本とする、本発明の第５の実施形態の電気装置について説明する。本実施形態の電気装置では、レンズ部品が筐体に外側から嵌合される。
【００７２】
本実施形態における構成について説明する。
【００７３】
図９は、本発明の第５の実施形態の電気装置５００の構成の一例を示す図である。具体的には、図９は、左上に斜視図を、左下に断面図を、右に分解組み立て図を示す。
【００７４】
電気装置５００は、レンズ部品５０１と、筐体５０４と、基板１０５と、受発光素子１０９と、受発光素子１０９とを含む。
【００７５】
レンズ部品５０１は、下面及び側面に各々突起５０２と、Ｃ面側に入出光部５１１と、入出光部５１２とを有する。レンズ部品５０１は、レンズ部品５０１の入出光部５１２から光を入力し、導光された光を入出光部５１１から出力する。なお、電気装置５００は複数のレンズ部品５０１を含んでもよい。
【００７６】
筐体５０４は、レンズ部品５０１の突起５０２と相対する位置に各々嵌合穴５０３と、レンズ部品５０１の入出光部５１１と相対する位置に入出光用穴５１０とを有する。
【００７７】
本実施形態における他の構成は、第４の実施形態における構成と同じである。
【００７８】
本実施形態における動作について説明する。
【００７９】
電気装置４００において、レンズ部品が筐体の外側から嵌合させるように変更される。
【００８０】
レンズ部品５０１は、下面及び側面の各々の突起５０２が筐体５０４の上面及び側面に設けられた嵌合穴５０３に、弾性を利用して筐体５０４の外側から嵌め込まれる。なお、レンズ部品５０１の入出光部５１２から入出光部５１１までの筒状部分は、筐体５０４の入出光用穴５１０に挿入される。
【００８１】
レンズ部品５０１は、レンズ部品５０１の斜面５１４と筐体５０４のＣ面とが接触するようにされると、筐体５０４のＣ面へ押し付けられた状態で突起５０２と嵌合穴５０３とが嵌合して固定される。つまり、レンズ部品５０１は、レンズ固定部品及びネジを使用せずに筐体５０４に固定される。なお、レンズ部品５０１の斜面５１４と筐体５０４のＣ面とは、接着剤等で固定されてもよい。
【００８２】
レンズ部品５０１は、入出光部５１２から受発光素子１０９の発光を導光して、レンズ部品５０１の入出光部５１１から、筐体５０４の外へ光を出力する。図９では、受発光素子１０９からレンズ部品５０１の入出光部５１２へ入射した光は、レンズ部品５０１の入出光部５１２から入出光部５１１までの筒状部分を伝播して、入出光部５１１から出力される。
【００８３】
本実施形態における他の動作は、第４の実施形態における動作と同じである。
【００８４】
以上説明したように、本実施形態の電気装置５００では、レンズ部品が筐体に外側から嵌合される点が、第４の実施形態の電気装置４００と異なる。従って、本実施形態の電気装置５００には、第４の実施形態の電気装置４００の効果に加えて、レンズ部品５０１の各々の突起５０２が目立たないという効果がある。  
【００８５】
なお、レンズ部品５０１の入出光部５１１は、筐体５０４との嵌合機能を有してもよい。（第６の実施形態）
図１０は、本発明の第６の実施形態の電気装置６００を説明するための斜視図である。具体的には、図１０は、左にレンズ部品６０１の表側から見た斜視図を、右にレンズ部品６０１の裏側から見た斜視図を示す。電気装置６００（不図示）は、レンズ部品６０１と、筐体１０４と、受発光素子１０９を含む。レンズ部品６０１は表面に突起１０２、１０２を有し、筐体１０４の内面において突起１０２に嵌合する。筐体１０４はケースの壁面に穴あけ加工だけで形成可能な形状の嵌合穴１０３を有している。本実施形態の電気装置６００の断面図は図２と同様である。レンズ部品６０１は、図５に示したように、筐体１０４の外部と１０９受発光素子との間で導光する。
【００８６】
本実施形態では、筐体外と筐体内との間で導光する電気装置において、レンズ部品を嵌合する嵌合穴を、ケースの壁面に穴あけ加工だけで形成することができる。
【００８７】
以上、本発明を、上述した実施形態およびその実施例によって例示的に説明した。しかしながら、本発明の技術的範囲は、上述した実施形態およびその実施例に記載した範囲に限定されない。当業者には、係る実施形態に対して多様な変更又は改良を加えることが可能であることは明らかである。そのような場合、係る変更又は改良を加えた新たな実施形態も、本発明の技術的範囲に含まれ得る。そしてこのことは、特許請求の範囲に記載した事項から明らかである。
【産業上の利用可能性】
【００８８】
本発明は、家庭用電子機器、コンピュータ、コンピュータ周辺機器、通信機器等の、光で状態を表示する電気装置において、筐体へレンズ部品を設置する用途において利用できる。
【００８９】
本発明は、赤外線リモコン等の、赤外線を出力する電気装置において、筐体へレンズ部品を設置する用途において利用できる。
【００９０】
本発明は、家庭用電気機器等の、赤外線リモコンにより操作される電気装置において、筐体へレンズ部品を設置する用途において利用できる。
【符号の説明】
【００９１】
１００  電気装置
１０１  レンズ部品
１０２  突起
１０３  嵌合穴
１０４  筐体
１０５  基板
１０８  突起
１０９  受発光素子
２００  電気装置
２０１  レンズ部品
２０２  突起
３００  電気装置
３０１  レンズ部品
３０２  突起
３０３  嵌合穴
３０４  筐体
３０８  突起
４００  電気装置
４０１  レンズ部品
４０２  突起
４０３  嵌合穴
４０４  筐体
４１０  入出光用穴
４１１  入出光部
４１２  入出光部
４１３  底面
５００  電気装置
５０１  レンズ部品
５０２  突起
５０３  嵌合穴
５０４  筐体
５１０  入出光用穴
５１１  入出光部
５１２  入出光部
６００  電気装置
６０１  レンズ部品
【図１】
2017167212.tif 000003
【図２】
2017167212.tif 000004
【図３】
2017167212.tif 000005
【図４】
2017167212.tif 000006
【図５】
2017167212.tif 000007
【図６】
2017167212.tif 000008
【図７】
2017167212.tif 000009
【図８】
2017167212.tif 000010
【図９】
2017167212.tif 000011
【図１０】
2017167212.tif 000012